(57)【要約】【課題】  帯電した手で直接メモリーカードに触れて放電を起したとしても、その電気を確実に逃がして、メモリーカード内部の電子回路や記憶されたデータが破壊されないようにする。【解決手段】  メモリーカード（４）を差し込んだ状態で収納保持するメモリーカード収納具（５）を備え、その収納具（５）は、スロット（８）から差し込まれるメモリーカード（４）の各電極（３…）と夫々接続する複数の電極（１１…）が形成されたソケット（７）と、該ソケット（７）の電極（１１…）に接続されたリード（１２…）のうち少なくともアース以外の電極に接続された夫々のリード（１２…）が静電保護抵抗（１４…）を介してアース（１４）に対して並列接続された静電保護回路（９）とを備えている。【選択図】図１
2007317010.tif 000002
【特許請求の範囲】
【請求項１】
複数の電極が形成されたメモリーカードを静電気から保護するメモリーカード保護ケースであって、
メモリーカードを差し込んだ状態で収納保持するメモリーカード収納具を備え、
該収納具は、スロットから差し込まれるメモリーカードの各電極と夫々接続する複数の電極が形成されたソケットと、該ソケットの電極に接続されたリードのうち少なくともアース以外の電極に接続された夫々のリードが静電保護抵抗を介してアースに対して並列接続されて成る静電保護回路とを備えたことを特徴とするメモリーカード保護ケース。
【請求項２】
複数の電極が形成されたメモリーカードを静電気から保護するメモリーカード保護ケースであって、
ボックス型のケースハウジング内に、メモリーカードを差し込んだ状態で収納保持する一以上のメモリーカード収納具が配され、
該収納具は、スロットから差し込まれるメモリーカードの各電極と夫々接続する複数の電極が形成されたソケットと、該ソケットの電極に接続されたリードのうち少なくともアース以外の電極に接続された夫々のリードが静電保護抵抗を介してアースに対して並列接続されて成る静電保護回路とを備えたことを特徴とするメモリーカード保護ケース。
【発明の詳細な説明】
【技術分野】
【０００１】
本発明は、複数の電極が形成されたメモリーカードを静電気から保護するメモリーカード保護ケースに関する。
【背景技術】
【０００２】
近年、メモリカードは、ハードディスクや光学ディスクなどに比して駆動部が不要であり、小型で記憶容量も大きいことから、デジタルカメラ、携帯電話、携帯音楽再生機等の電子機器のメモリとしてはもちろんのこと、コンピュータの外部記憶装置としても盛んに利用されている。
そして、重要なデータを記憶させたメモリーカードを電子機器から外して移動する場合は、移動中に静電機の影響でデータや電子回路が破壊されることのないように、保護機能を有する専用のケースに入れて携帯することとしている。
【０００３】
メモリーカードが静電気の影響で破壊される最大の原因は、メモリーカードを扱う人の手であり、帯電した手がメモリーカードのジャケットに触れた瞬間に放電を起して、そのショックでデータや電子回路が破壊されることが多い。
例えば、カーペット上を歩行した場合の帯電は、湿度が１０〜２０％の場合に３５ｋＶに達すると言われており、湿度が６５〜９０％の場合でも１.５ｋＶに達する。
また、帯電した指先を他の導電性物質に十分近づけあるいは触れて静電放電を生じた場合、１〜２ｋＶ程度では痛みを感じないと言われており、人がそのような放電の発生を知覚しなくてもメモリーを破壊する程度の放電を起こすことがある。
【０００４】
このため、従来よりメモリーカードを使用しない場合は、図４に示すようなケースに入れて保管することとしている。
このケース３１は、ケースハウジング３２の内側に、１０５〜１０９Ω／ｃｍ２程度の静電拡散性を有する高抵抗導電性スポンジで形成されたカードホルダ３３が設けられており、メモリーカード３４をケース３１内に収納したときに、そのカード３４の外装ジャケットがホルダ３３に接触してカード３４に帯電する静電気を逃がすように形成されている。
【非特許文献１】http://www.nakabayashi.co.jp/products/brand/digio/memorycase.html
【０００５】
しかしながら、ケース３１からメモリーカード３４を出すときは、メモリーカード３４に指で直接触れなければならず、その手や指が帯電していた場合は指が触れたときに放電を生じる。
この場合に、高電圧微電流が外装ジャケットの表面を流れてカードホルダ３３に逃がされれば問題はないが、場合によってはカードホルダ３３へ流れずに、ジャケットに露出している電極３５…から内部に伝わり、その電子回路やデータを破壊するおそれがある。
また、図５に示すように、メモリーカード３４の電極３５…は、指でカード３４を扱う際に、その指が電極３５…に直接触れないように、ジャケット表面に形成された凹溝３６内に配されているが、指が帯電している場合は、必ずしも電極３５に触れなくても指を近付けるだけで放電を起こし、その結果、その電子回路やデータを破壊するおそれがある。
【０００６】
このとき、電極３５…がカードホルダ３３に接触していれば、電極３５…からカードホルダ３３に電気が流れるので内部の電子回路が保護されるが、前述したように電極３５…は凹溝３６内に配されているので、カードホルダ３３が接触し難くい。
【０００７】
すなわち、個々の電極３５…が配される凹溝３６は狭く形成されているので、図６に示すように、スポンジ程度の柔らかさではそのような狭い凹溝３６の中まで入り込むことはできず、また、そのような凹溝３６に適合する狭い突条を形成しようにも、スポンジを材質とする場合に形が崩れてしまいそのような微細加工を施すこともできない。
【発明の開示】
【発明が解決しようとする課題】
【０００８】
そこで本発明は、静電気に帯電した手で直接メモリーカードに触れて放電を起したとしても、その電気を確実に逃がして、メモリーカード内部の電子回路や記憶されたデータが破壊されないようにすることを技術的課題としている。
【課題を解決するための手段】
【０００９】
この課題を解決するために、本発明は、複数の電極が形成されたメモリーカードを静電気から保護するメモリーカード保護ケースであって、メモリーカードを差し込んだ状態で収納保持するメモリーカード収納具を備え、該収納具は、スロットから差し込まれるメモリーカードの各電極と夫々接続する複数の電極が形成されたソケットと、該ソケットの電極に接続されたリードのうち少なくともアース以外の電極に接続された夫々のリードが静電保護抵抗を介してアースに対して並列接続されて成る静電保護回路とを備えたことを特徴としている。
【発明の効果】
【００１０】
本発明に係るメモリーカード保護ケースによれば、メモリーカードをメモリーカード収納具のスロットに差し込むと、メモリーカードの各電極がソケットの電極と接続される。
したがって、カードの各電極が狭い凹溝内に配されていても、夫々の電極がソケット内の電極と接続される。
ソケット内のアース以外の各電極は、夫々のリードがメモリーサーキットのインピーダンスより低い例えば５００ｋΩ〜２ＭΩの静電保護抵抗を介してアースに対して並列接続されているので、メモリーカードは、その各電極が各静電保護抵抗を介してアースに接続された状態で収納保持される。
したがって、静電気に帯電した手で直接メモリーカードに触れて放電を起したときに、その電気がメモリーカードの電極に伝わっても、メモリーカードの夫々の電極はメモリーサーキットのインピーダンスより低い静電保護抵抗を介してアースに接続されているので、その放電により生じた高電圧微電流をアースに確実に逃がすことができ、メモリーカード内部の電子回路や記憶されたデータが破壊されるのを防止することができる。
【発明を実施するための最良の形態】
【００１１】
本例では、静電気に帯電した手で直接メモリーカードに触れて放電を起したとしても、その電気を確実に逃がして、メモリーカード内部の電子回路や記憶されたデータが破壊されないようにするという目的を達成するために、メモリーカードを差し込んだ状態で収納保持するメモリーカード収納具を備え、その収納具は、スロットから差し込まれるメモリーカードの各電極と夫々接続する複数の電極が形成されたソケットと、該ソケットの電極に接続されたリードのうち少なくともアース以外の電極に接続された夫々のリードが静電保護抵抗を介してアースに対して並列接続されて成る静電保護回路とを備えている。
【００１２】
図１は本発明に係るメモリーカード保護ケースの要部を示す斜視図、図２はその電気回路図、図３は他の実施形態を示す説明図である。
【実施例１】
【００１３】
図１に示すメモリーカード保護ケース１は、先端凹溝２内にアース電極３ｅを含む複数の電極３…が形成されたメモリーカード４（図５参照）を静電気から保護するもので、メモリーカード４を差し込んだ状態で収納保持するメモリーカード収納具５を備えている。
このメモリーカード収納具５は、カバー６内に配されたプリント配線基板７に、メモリーカード４が差し込まれるソケット８が装着されると共に、そのソケット８に接続される静電保護回路９が形成されている。
【００１４】
ソケット８には、スロット１０から差し込まれるメモリーカード４の各電極３…と夫々接続する複数の電極１１…が形成されており、各電極１１…に接続されたリード１２…が導出されて、プリント配線基板７に形成された静電保護回路９に接続されている。
静電保護回路９は、前記リード１２…のうち少なくともアース電極１１ｅ以外の電極１１…に接続された夫々のリード１２…がメモリーサーキットのインピーダンスよりも低い５００ｋΩ〜２ＭΩ程度のチップ型静電保護抵抗１３…を介してアース１４に対して並列接続されている。
【００１５】
以上が本発明の一構成例であって、次にその作用について説明する。
メモリーカード４を保護ケース１にいれて保管する場合は、その先端側からソケット８のスロット１０に差し込むと、その先端側に形成された電極１１…がソケット８の各電極１１…と接触する。
ここで、アース電極１１ｅ以外の電極１１…は、静電保護抵抗１３…を介してアース１４に接続されているので、ソケット８の各電極１１…に接触しているメモリーカード４のアース電極３ｅ以外の各電極３…も、静電保護抵抗１３…を介してアース１４に接続されることとなる。
【００１６】
次いで、保護ケース１からメモリーカード４を取り出すときに、帯電した手でメモリーカード４に触れることにより、メモリーカード４のジャケットと指の間で放電を生じ、その結果、電極３…に放電流が流れることがあっても、各電極３…はメモリーサーキットのインピーダンスよりも低い静電保護抵抗１３を介してアース１４に接続されているので、その放電により生じた高電圧微電流がアース１４に逃がされることなり、メモリーカード１内に形成された電子回路や、その電子回路に記憶されているデータが破壊されるのを未然に防止することができる。
【実施例２】
【００１７】
図３は、本発明に係るメモリー保護ケースの他の実施形態を示す。
メモリー保護ケース２１は、ボックス型のケースハウジング２２内に、メモリーカード４を差し込んだ状態で収納保持する一以上のメモリーカード収納具５…が配されている。
【００１８】
ケースハウジング２２は、静電気の蓄積を防止すると共に電磁波の影響を受けないように金属で形成された本体２３と蓋体２４とからなる開閉ボックスでなり、本体２３と蓋体２４とのロックをはずしたときにバネ蝶番２５により蓋体２４が開くようになっている。
また、本体２３には蓋体２４を開けたときに、これと連動してスプリング２６の弾撥力によりポップアップするベース２７が配され、このベース２７にメモリーカード収納具５が四連で取り付けられている。
【００１９】
そして、前記ベース２７に取り付けられたメモリーカード収納具５は、図１で示したものと同様、プリント配線基板７に、メモリーカード４が差し込まれるソケット８が装着されると共に、そのソケット８に接続される静電保護回路９が形成されている。
ソケット８には、スロット１０から差し込まれるメモリーカード４の各電極３…と夫々接続する複数の電極１１…が形成されており、各電極１１…に接続されたリード１２…が導出されて、プリント配線基板７に形成された静電保護回路９に接続されている。
静電保護回路９は、前記リード１２…のうち少なくともアース電極１１ｅ以外の電極１１…に接続された夫々のリード１２…がメモリーサーキットのインピーダンスよりも低い５００ｋΩ〜２ＭΩ程度のチップ型静電保護抵抗１３…を介してアース１４に対して並列接続されている。
【００２０】
これによれば、メモリーカード４をメモリーカード収納具５に収納保持させた状態で、金属製のケースハウジング２２内に保管することができるので、ケースハウジング２２を閉じている以上、外部から静電気や電磁波の影響を受けることがない。
また、使用時にメモリーカード４を取り出すときに、まず、蓋体２４を開けなければならないので、必ずケースハウジング２２に触れることとなり、手が帯電していたとしてもメモリーカード４に触れる前にケースハウジング２２に静電気が逃がされるので、メモリーカード４に触れるときには放電を起すことが少ない。
さらに、開いたままのケースハウジング２２からメモリーカード４を取り出すときに、帯電した指でメモリーカード４に直接カードが触れることにより、指とメモリーカードの間で放電を生じ、その結果、電極３…に放電流が流れることがあっても、各電極３…はメモリーサーキットのインピーダンスよりも低い静電保護抵抗１３を介してアース１４に接続されているので、その放電により生じた高電圧微電流がアース１４に逃がされることなり、メモリーカード１内に形成された電子回路や、その電子回路に記憶されているデータが破壊されるのを未然に防止することができる。
【産業上の利用可能性】
【００２１】
以上述べたように、本発明は、複数の電極が形成されたメモリーカードを静電気から保護するメモリーカード保護ケースの用途に適用できる。
【図面の簡単な説明】
【００２２】
【図１】本発明に係るメモリーカード保護ケースの一例を示す斜視図。
【図２】その内部機構を示す断面図。
【図３】他の実施形態を示す斜視図。
【図４】従来装置を示す説明図。
【図５】メモリーカードの一例を示す斜視図。
【図６】従来装置に収納した状態を示す説明図。
【符号の説明】
【００２３】
１    メモリーカード保護ケース１  
３    電極
４    メモリーカード
５    メモリーカード収納具５  
８    ソケット
９    静電保護回路
１０  スロット
１１  電極
１２  リード
１４  静電保護抵抗
１５  アース
２１  メモリーカード保護ケース
２２  ケースハウジング
【図１】
2007317010.tif 000003
【図２】
2007317010.tif 000004
【図３】
2007317010.tif 000005
【図４】
2007317010.tif 000006
【図５】
2007317010.tif 000007
【図６】
2007317010.tif 000008